(57)【要約】【課題】操作者の位置に応じてＰＣなどのＯＡ機器を最適な省電力状態に移行させることができる省電力制御システム、省電力制御方法および省電力制御プログラムを提供する。【解決手段】省電力制御システムは、操作者登録手段１３と、省電力移行情報を記憶する省電力移行情報登録手段１４と、人物位置情報登録手段１５と、省電力移行エリアを撮影する複数の撮像装置１６１〜１６ｎと、撮像装置１６１〜１６ｎが出力する映像から操作者を特定し、操作者の位置を人物位置情報登録手段１５に記憶させる人物位置情報取得手段１２と、人物位置情報登録手段１５に記憶された操作者の位置が省電力移行エリアに含まれている場合に、省電力移行エリアに対応する省電力状態に移行させるための命令を操作者が使用する電子機器に送出する省電力状態判定手段１１とを備える。【選択図】図４
2012138006.tif 000002
【特許請求の範囲】
【請求項１】
電子機器を示す情報と電子機器の操作者を示す情報とを記憶する操作者登録手段と、
所定範囲の省電力移行エリアと前記省電力移行エリアに対応する省電力状態との情報を含む省電力移行情報を記憶する省電力移行情報登録手段と、
前記操作者の位置を記憶する人物位置情報登録手段と、
前記省電力移行エリアを撮影する複数の撮像装置と、
前記撮像装置が出力する映像から前記操作者を特定し、前記操作者の位置を人物位置情報登録手段に記憶させる人物位置情報取得手段と、
前記人物位置情報登録手段に記憶された前記操作者の位置が前記省電力移行エリアに含まれるか否かを定期的に監視し、前記操作者の位置が前記省電力移行エリアに含まれている場合に、前記操作者登録手段を参照して前記操作者が使用する電子機器を特定し、前記省電力移行エリアに対応する省電力状態に移行させるための命令を前記電子機器に送出する省電力状態判定手段とを備えた
ことを特徴とする省電力制御システム。
【請求項２】
省電力移行情報は、省電力移行エリアに対応する移行滞留時間を示す情報を含み、
省電力状態判定手段は、操作者の位置が省電力移行エリアに含まれている時間が前記移行滞留時間に達したときに、省電力状態に移行させるための命令を送出する
請求項１に記載の省電力制御システム。
【請求項３】
人物位置情報登録手段は、電子機器の操作者の座席の位置を記憶し、
人物位置情報取得手段は、前記位置にある席に着席した人物を前記操作者であると判断する
請求項１または請求項２に記載の省電力制御システム。
【請求項４】
省電力移行情報登録手段は、省電力移行エリアに対応した実行命令の情報を含む省電力移行エリア情報を記憶し、
省電力状態判定手段は、前記省電力移行エリアに対応した実行命令を電子機器に送出する
請求項１から請求項３のうちのいずれか１項に記載の省電力制御システム。
【請求項５】
省電力移行情報登録手段は、複数の省電力移行情報を記憶する
請求項１から請求項４のうちのいずれか１項に記載の省電力制御システム。
【請求項６】
電子機器を示す情報と電子機器の操作者を示す情報とを記憶する操作者登録手段と、
所定範囲の省電力移行エリアと前記省電力移行エリアに対応する省電力状態との情報を含む省電力移行情報を記憶する省電力移行情報登録手段と、前記操作者の位置を記憶する人物位置情報登録手段とを備える省電力制御システムに適用される省電力制御方法であって、
前記省電力移行エリアを撮影する複数の撮像装置が出力する映像から前記操作者を特定し、前記操作者の位置を前記人物位置情報登録手段に記憶し、前記人物位置情報登録手段に記憶された前記操作者の位置が前記省電力移行エリアに含まれるか否かを定期的に監視し、前記操作者の位置が前記省電力移行エリアに含まれている場合に、前記操作者登録手段を参照して前記操作者が使用する電子機器を特定し、前記省電力移行エリアに対応する省電力状態に移行させるための命令を前記電子機器に送出する
ことを特徴とする省電力制御方法。
【請求項７】
電子機器を示す情報と電子機器の操作者を示す情報とを記憶する操作者登録手段と、
所定範囲の省電力移行エリアと前記省電力移行エリアに対応する省電力状態との情報を含む省電力移行情報を記憶する省電力移行情報登録手段と、前記操作者の位置を記憶する人物位置情報登録手段とに接続されるコンピュータに搭載される省電力制御プログラムであって、
前記コンピュータに、
前記省電力移行エリアを撮影する複数の撮像装置が出力する映像から前記操作者を特定し、前記操作者の位置を前記人物位置情報登録手段に記憶する処理と、
前記人物位置情報登録手段に記憶された前記操作者の位置が前記省電力移行エリアに含まれるか否かを定期的に監視し、前記操作者の位置が前記省電力移行エリアに含まれている場合に、前記操作者登録手段を参照して前記操作者が使用する電子機器を特定し、前記省電力移行エリアに対応する省電力状態に移行させるための命令を前記電子機器に送出する処理を実行させる
ための省電力制御プログラム。
【発明の詳細な説明】
【技術分野】
【０００１】
本発明は、操作者の位置に応じてＯＡ機器への電力供給状態を制御する省電力制御システム、省電力制御方法および省電力制御プログラムに関する。
【背景技術】
【０００２】
ＯＡ（Ｏｆｆｉｃｅ  Ａｕｔｏｍａｔｉｏｎ）機器の電力消費を抑えるためには、未使用時にはＯＡ機器を省電力状態へ速やかに且つこまめに移行させることが効果的である。パーソナルコンピュータ（ＰＣ）などのＯＡ機器は複数の省電力状態を有する。一般に、電力消費量が少ない省電力状態ほど、稼動状態への復帰に要する時間が長い。
【０００３】
省電力状態に自動的に移行させる手段として、一定時間無操作の状態を検知したら省電力状態に移行させる方法があるが、無操作になった後に一定時間が経過しないと省電力状態に移行しないので、省電力状態に移行するまでの間に電力を消費してしまう。また、省電力状態に速やかに移行させるために、赤外線センサなどを使用してＰＣの操作者の離席を感知し、即座に省電力状態に移行させる方法もある（例えば、特許文献１参照）。
【先行技術文献】
【特許文献】
【０００４】
【特許文献１】特開平４−２９１６１２
【発明の概要】
【発明が解決しようとする課題】
【０００５】
特許文献１に記載された方法では、操作者の離席時間が予測できないため、例えば、短時間の離席の場合に、電力消費量が少ない省電力状態に移行すると復帰に時間がかかり、利便性が低下してしまう。
【０００６】
そこで、本発明は、操作者の位置に応じてＰＣなどのＯＡ機器を最適な省電力状態に移行させることができる省電力制御システム、省電力制御方法および省電力制御プログラムを提供することを目的とする。
【課題を解決するための手段】
【０００７】
本発明による省電力制御システムは、電子機器を示す情報と電子機器の操作者を示す情報とを記憶する操作者登録手段と、所定範囲の省電力移行エリアと、省電力移行エリアに対応する省電力状態との情報を含む省電力移行情報を記憶する省電力移行情報登録手段と、操作者の位置を記憶する人物位置情報登録手段と省電力移行エリアを撮影する複数の撮像装置と、撮像装置が出力する映像から操作者を特定し、操作者の位置を人物位置情報登録手段に記憶させる人物位置情報取得手段と、人物位置情報登録手段に記憶された操作者の位置が省電力移行エリアに含まれるか否かを定期的に監視し、操作者の位置が省電力移行エリアに含まれている場合に、操作者登録手段を参照して操作者が使用する電子機器を特定し、省電力移行エリアに対応する省電力状態に移行させるための命令を電子機器に送出する省電力状態判定手段とを備えたことを特徴とする。
【０００８】
本発明による省電力制御方法は、電子機器を示す情報と電子機器の操作者を示す情報とを記憶する操作者登録手段と、所定範囲の省電力移行エリアと省電力移行エリアに対応する省電力状態との情報を含む省電力移行情報を記憶する省電力移行情報登録手段と、操作者の位置を記憶する人物位置情報登録手段とを備える省電力制御システムに適用される省電力制御方法であって、省電力移行エリアを撮影する複数の撮像装置が出力する映像から操作者を特定し、操作者の位置を人物位置情報登録手段に記憶し、人物位置情報登録手段に記憶された操作者の位置が省電力移行エリアに含まれるか否かを定期的に監視し、操作者の位置が省電力移行エリアに含まれている場合に、操作者登録手段を参照して操作者が使用する電子機器を特定し、省電力移行エリアに対応する省電力状態に移行させるための命令を電子機器に送出することを特徴とする。
【０００９】
本発明による省電力制御プログラムは、電子機器を示す情報と電子機器の操作者を示す情報とを記憶する操作者登録手段と、所定範囲の省電力移行エリアと省電力移行エリアに対応する省電力状態との情報を含む省電力移行情報を記憶する省電力移行情報登録手段と、操作者の位置を記憶する人物位置情報登録手段とに接続されるコンピュータに搭載される省電力制御プログラムであって、コンピュータに、省電力移行エリアを撮影する複数の撮像装置が出力する映像から操作者を特定し、操作者の位置を人物位置情報登録手段に記憶する処理と、人物位置情報登録手段に記憶された操作者の位置が省電力移行エリアに含まれるか否かを定期的に監視し、操作者の位置が省電力移行エリアに含まれている場合に、操作者登録手段を参照して操作者が使用する電子機器を特定し、省電力移行エリアに対応する省電力状態に移行させるための命令を電子機器に送出する処理を実行させることを特徴とする。
【発明の効果】
【００１０】
本発明によれば、操作者の位置に応じてＰＣなどのＯＡ機器を最適な省電力状態に移行させることができる。
【図面の簡単な説明】
【００１１】
【図１】第１の実施形態における省電力判定制御システムの構成の一例を示す説明図である。
【図２】省電力移行エリア登録ＤＢ１２２に登録される省電力移行情報の一例を示す説明図である。
【図３】本発明の第１の実施形態における省電力制御システムの動作を示すフローチャートである。
【図４】本発明の主要部を示すブロック図である。
【発明を実施するための形態】
【００１２】
実施形態１．
以下、本発明の第１の実施形態を図面を参照して説明する。
【００１３】
図１は、第１の実施形態における省電力判定制御システムの構成の一例を示す説明図である。
【００１４】
図１に示す省電力制御システムは、人物位置情報取得部１１１と、ＯＡ機器省電力状態判定部１１２と、ＯＡ機器操作者登録データベース（ＤＢ）１２１と、省電力移行エリア登録ＤＢ１２２と、人物位置情報登録ＤＢ１２３と、カメラ３０１〜３０３とを備える。人物位置情報取得部１１１は、カメラ３０１〜３０３および人物位置情報登録ＤＢ１２３と接続されている。ＯＡ機器省電力状態判定部１１２は、ＯＡ機器操作者登録ＤＢ１２１、省電力移行エリア登録ＤＢ１２２および人物位置情報登録ＤＢ１２３と接続されている。カメラ３０１〜３０３は、人物位置情報取得部１１１とインターネットなどの通信ネットワーク２００を介して接続されている。なお、図１には、３つのカメラ３０１〜３０３が例示されているが、カメラはいくつあってもよい。
【００１５】
図１に示す省電力制御システムでは、操作者６０１が使用するＯＡ機器５０１が、ＯＡ機器省電力状態判定部１１２と通信ネットワーク２００を介して接続されている。なお、図１には、１台のＯＡ機器５０１が例示されているが、ＯＡ機器省電力状態判定部１１２に接続されるＯＡ機器はいくつあってもよい。
【００１６】
ＯＡ機器操作者登録ＤＢ１２１は、ＯＡ機器とその操作者を登録するデータベースである。
【００１７】
省電力移行エリア登録ＤＢ１２２は、省電力移行エリアの情報（以下、省電力移行情報という。）を登録するデータベースである。省電力移行エリアとは、位置座標（Ｘ座標およびＹ座標）によって決定される領域である。省電力移行エリア登録ＤＢ１２２には、省電力移行エリアの領域を示す位置座標範囲とともに、省電力移行エリアに対応した省電力状態および移行までの滞留時間（以降、移行判定滞留時間という。）が登録される。
【００１８】
例えば、コピー機前のエリアの位置座標がｘ１≦Ｘ≦ｘ２およびｙ１≦Ｙ≦ｙ２であるときに、省電力移行エリア登録ＤＢ１２２に省電力移行エリア「コピー機前」を登録する場合は、図２における（例１）に示すように、位置座標範囲に「ｘ１≦Ｘ≦ｘ２、ｙ１≦Ｙ≦ｙ２」を設定する。また、操作者がコピー機前にいる場合は離席時間が短いと予想されるので、稼動状態への復帰に要する時間が短い「ディスプレイＯＦＦ」を省電力状態に設定する。また、操作者が省電力移行エリアに入ってからどれくらい経過したらＯＡ機器を省電力状態に移行させるかを移行判定滞留時間に設定する。
【００１９】
なお、図２に示す例では、移行判定滞留時間が秒単位で設定されているが、分単位など任意の単位であってよい。また、省電力移行エリアの範囲を指定するｘ１〜ｘ６およびｙ１〜ｙ６と、省電力移行エリアに対応した省電力状態および移行判定滞留時間とは、省電力制御システムのユーザによって任意に設定可能である。また、図２には、「コピー機前」、「会議室」および「外出」の３つの省電力移行エリアが例示されているが、省電力移行情報は省電力移行エリア登録ＤＢ１２２にいくつ登録されていてもよい。なお、「外出」に対応する位置座標範囲は、例えば、出入口近傍の範囲である。
【００２０】
人物位置情報登録ＤＢ１２３は、操作者の位置座標を登録するデータベースである。また、操作者の座席の位置座標を記憶する。
【００２１】
人物位置情報取得部１１１は、カメラ３０１〜３０３の映像を取得し、取得した画像からＯＡ機器の操作者の位置座標を取得し、操作者の位置座標を人物位置情報登録ＤＢ１２３に登録する。また、人物位置情報取得部１１１は、操作者が着席した座標から操作者を特定する。例えば、カメラ３０１〜３０３が撮影した映像に映る人物が着席した場合、着席した座標が人物位置情報登録ＤＢ１２３が記憶する操作者６０１の座席の座標と一致した場合は、その人物を操作者６０１であると判断する。
【００２２】
ＯＡ機器省電力状態判定部１１２は、人物位置情報登録ＤＢ１２３から定期的に操作者の位置座標を取得し、取得した位置座標と、省電力移行エリア登録ＤＢ１２２に登録されている省電力移行エリアの位置座標範囲とにもとづいて、操作者が省電力移行エリアに入ったか否かを判断する。省電力移行エリア登録ＤＢ１２２に複数の省電力移行エリアが登録されているときは、ＯＡ機器省電力状態判定部１１２は登録されている移行エリアのいずれかに操作者が入ったか否かを判断する。また、ＯＡ機器省電力状態判定部１１２は、省電力移行エリアに対応した省電力状態に移行させるための命令をＯＡ機器に対して送出する。
【００２３】
なお、ＯＡ機器省電力状態判定部１１２および人物位置情報取得部１１１はプログラムに従って動作するマイクロコンピュータ等で実現可能である。
【００２４】
カメラ３０１〜３０３は、各省電力移行エリアに設置され、省電力移行エリアを撮影する。
【００２５】
次に、図１、図２および図３を参照して本実施形態の動作について説明する。ここでは、図１に示すＯＡ機器５０１の操作者６０１が自身の座席から図２に示す省電力移行エリアＡに移動する場合を例にする。
【００２６】
図３は、本発明の第１の実施形態における省電力制御システムの動作を示すフローチャートである。
【００２７】
省電力制御システムの管理者は、あらかじめ、ＯＡ機器操作者登録ＤＢ１２１にＯＡ機器５０１とその操作者６０１を登録する（ステップＳ３０１）。また、人物位置情報登録ＤＢ１２３に操作者６０１の座席の位置座標を登録する。
【００２８】
また、省電力制御システムのユーザは、あらかじめ、省電力移行エリア登録ＤＢ１２２に、省電力状態を省電力状態ａ、移行判定滞留時間をｎ秒と設定した省電力移行エリアＡを登録する（ステップＳ３０２）。
【００２９】
操作者６０１が自身の座席に着席すると、人物位置情報取得部１１１は、カメラ３０１〜３０３が撮影した映像から操作者６０１が着席した位置座標を取得し、取得した座標から着席した人物が操作者６０１であると判断する（ステップＳ３０３）。
【００３０】
次に、人物位置情報取得部１１１は、カメラ３０１〜３０３が空間を撮影して生成した映像から操作者６０１の位置座標を取得して人物位置情報登録ＤＢ１２３に登録する処理を開始する（ステップＳ３０４）。
【００３１】
ＯＡ機器省電力状態判定部１１２は、定期的に人物位置情報登録ＤＢ１２３を参照し、省電力移行エリアＡの位置座標範囲に操作者６０１の位置座標が含まれているか否かを確認する（ステップＳ３０５）。
【００３２】
省電力移行エリアＡの位置座標範囲に操作者６０１の位置座標が含まれている場合は（ステップＳ３０５のＹｅｓ）、ＯＡ機器省電力状態判定部１１２は、省電力移行エリアＡに操作者６０１が入ったと判断する。そして、ＯＡ機器省電力状態判定部１１２は、操作者６０１が省電力移行エリアＡに入ってからの経過時間が移行判定滞留時間ｎ秒に達したか否かを確認する（ステップＳ３０６）。
【００３３】
省電力移行エリアＡの位置座標範囲に操作者６０１の位置座標が含まれていない場合は（ステップＳ３０５のＮｏ）、ＯＡ機器省電力状態判定部１１２は、経過時間をリセットしてステップＳ３０５の処理に戻る。
【００３４】
ステップＳ３０６において経過時間がｎ秒に達している場合は（ステップＳ３０６のＹｅｓ）、ＯＡ機器省電力状態判定部１１２は、ＯＡ機器操作者ＤＢ１２１を参照して、操作者６０１が使用するＯＡ機器を特定する。ＯＡ機器省電力状態判定部１１２は、操作者６０１が使用するＯＡ機器５０１に対して、ネットワークを介して省電力状態ａに移行させるための命令を送出する（ステップＳ３０７）。ＯＡ機器５０１は、ＯＡ機器省電力状態判定部１１２から命令を受信すると、省電力状態ａに移行する。
【００３５】
ステップＳ３０６において経過時間がｎ秒に達していない場合は（ステップＳ３０６のＮｏ）、ステップＳ３０５に戻り、ＯＡ機器省電力状態判定部１１２は、ステップＳ３０５以降の処理を繰り返す。
【００３６】
以上に説明したように、操作者の所在エリアに応じてＯＡ機器を省電力状態に移行させることができる。また、省電力移行エリアの省電力状態が設定可能であるので、ＯＡ機器を最適な省電力状態に移行させることができる。例えば、離席が短時間であると予想されるエリアには復帰の早い省電力状態を設定し、離席が長時間であると予想されるエリアには電力消費量が低い省電力状態を設定すれば、操作者の利便性の向上とＯＡ機器の省電力化とを両立できる。
【００３７】
また、カメラを使用して操作者の位置情報を取得しているので、カメラ３０１〜３０３が設置されたエリアのレイアウトが変化した場合でも、省電力状態エリア登録ＤＢ１２２に登録した省電力移行エリアの位置座標、省電力状態、移行判定滞留時間を再設定するだけでよい。
【００３８】
なお、省電力移行情報に、省電力移行エリアに対応した実行命令を含ませてもよい。そのような構成によれば、省電力移行エリアに対応した実行命令として、セキュリティパッチの適用命令やデータのバックアップ命令を設定すれば、セキュリティパッチの適用やデータのバックアップを操作者の所在エリアや離席時間に応じて実行させることができる。例えば、オフィスなどにおいて、操作者が会議室で会議をしている間に、操作者が使用するＯＡ機器に対してセキュリティパッチを適用したりデータのバックアップを実行したりすることができる。
【００３９】
また、操作者６０１が着席してから省電力移行エリアへ移動するまでの間、操作者６０１を途切れることなく追跡するために、カメラ３０１〜３０３は、操作者の位置情報を連続して取得することができるだけの台数を用意して設置しておくことが望ましい。
【００４０】
また、ＯＡ機器操作者登録ＤＢ１２１、省電力移行エリア登録ＤＢ１２２および人物位置情報登録ＤＢ１２３は、インターネットなどの通信ネットワークを介して、人物位置情報取得部１１１またはＯＡ機器省電力状態判定部１１２と接続されていてもよい。
【００４１】
図４は、本発明による省電力制御システムの主要部を示すブロック図である。
【００４２】
図４は、本発明による省電力制御システムの主要部を示すブロック図である。図４に示すように、省電力制御システムは、電子機器（実施形態では、ＯＡ機器５０１で実現される。）を示す情報と電子機器の操作者（実施形態では、操作者６０１で実現される。）を示す情報とを記憶する操作者登録手段１３（実施形態では、ＯＡ機器操作者登録ＤＢ１２１で実現される。）と、所定範囲の省電力移行エリアと、省電力移行エリアに対応する省電力状態との情報を含む省電力移行情報を記憶する省電力移行情報登録手段１４（実施形態では、省電力移行エリア登録ＤＢ１２２で実現される。）と、操作者の位置を記憶する人物位置情報登録手段１５（実施形態では、人物位置情報登録ＤＢ１２３で実現される。）と、省電力移行エリアを撮影する複数の撮像装置１６１〜１６ｎ（実施形態では、カメラ３０１〜３０３で実現される。）と、撮像装置１６１〜１６ｎが出力する映像から操作者を特定し、操作者の位置を人物位置情報登録手段１５に記憶させる人物位置情報取得手段１２（実施形態では、人物位置情報取得部１１１で実現される。）と、人物位置情報登録手段１５に記憶された操作者の位置が省電力移行エリアに含まれるか否かを定期的に監視し、操作者の位置が省電力移行エリアに含まれている場合に、操作者登録手段１３を参照して操作者が使用する電子機器を特定し、省電力移行エリアに対応する省電力状態に移行させるための命令を電子機器に送出する省電力状態判定手段１１（実施形態では、ＯＡ機器省電力状態判定部１１２で実現される。）とを備えたことを特徴とする。
【００４３】
上記の実施形態には、以下のような省電力制御システムも開示されている。
【００４４】
（１）省電力移行情報は、省電力移行エリアに対応する移行滞留時間を示す情報を含み、省電力状態判定手段１１は、操作者の位置が省電力移行エリアに含まれている時間が移行滞留時間に達したときに、省電力状態に移行させるための命令を送出する省電力制御システム。
【００４５】
（２）人物位置情報登録手段１５は、電子機器の操作者の座席の位置を記憶し、人物位置情報取得手段１２は、位置にある席に着席した人物を操作者であると判断する省電力制御システム。
【００４６】
（３）省電力移行情報登録手段１４は、省電力移行エリアに対応した実行命令の情報を含む省電力移行情報を記憶し、省電力状態判定手段１１は、省電力移行エリアに対応した実行命令を電子機器に送出する省電力制御システム。
【００４７】
（４）省電力移行情報登録手段１４は、複数の省電力移行情報を記憶する省電力制御システム。
【符号の説明】
【００４８】
１１  省電力状態判定手段
１２  人物位置情報取得手段
１３  操作者登録手段
１４  省電力移行情報登録手段
１５  人物位置情報登録手段
１６１〜１６ｎ  撮像装置
１００  省電力判定制御システム
１１１  人物位置情報取得部
１１２  ＯＡ機器省電力状態判定部
１２１  ＯＡ機器操作者登録ＤＢ
１２２  省電力移行エリア登録ＤＢ
１２３  人物位置情報登録ＤＢ
２００  通信ネットワーク
３０１、３０２、３０３  カメラ
５０１  ＯＡ機器
６０１  操作者
【図１】
2012138006.tif 000003
【図２】
2012138006.tif 000004
【図３】
2012138006.tif 000005
【図４】
2012138006.tif 000006